(57)【要約】      （修正有）【課題】自動回復機能を具えたヒンジ装置の提供。【解決手段】中空収納体中に、順に回復装置、移動装置が収容され、中空収納体の一側に別に制限装置が設けられ、中空収納体と制限装置がそれぞれ異なる本体に取り付けられ、そのうち、回復装置と移動装置の一側が接触し、移動装置の別側が制限装置の制限を受けて回転不能とされ、移動装置は回転時に回復装置の方向に向けて移動し、回復装置を押動して移動させ、回復装置が反作用力を蓄積し、中空収納体を回転させる力が解除された時、回復装置が原位置に回復し並びに移動装置を押動して原位置に移動させ、これにより枢設された二つの本体の一方が力を受けて開放された後、施力解除時に、原位置に自動回復し、さらに閉める動作を免除できる。【選択図】図２
0003116825.tif 000002
【実用新案登録請求の範囲】
【請求項１】
自動回復機能を具えたヒンジ装置において、中空収納体と制限装置を包含し、該中空収納体及び制限装置が二つの枢設状態となす本体にそれぞれ固定され、該中空収納体中に順に回復装置と移動装置が設けられ、
該回復装置の一端は中空収納体の制限を受けて移動不能であり、その別側は移動装置と接触し、移動装置の押動を受けて収縮して反作用力を蓄積し、該回復装置は反作用力によりそれ自身及び移動部品を原位置に回復させ、
該移動装置は中空収納体回転時に回復装置の方向に向けて移動し、回復装置を押動して収縮させ、及び回復装置の押動を受けて原位置に回復し、
該制限装置と回復装置の一端が結合され中空収納体底部に当接したことを特徴とする、自動回復機能を具えたヒンジ装置。
【請求項２】
請求項１記載の自動回復機能を具えたヒンジ装置において、回復装置が伸縮可能な軸棒を具えた気圧棒であることを特徴とする、自動回復機能を具えたヒンジ装置。
【請求項３】
請求項１記載の自動回復機能を具えたヒンジ装置において、回復装置が圧縮バネであることを特徴とする、自動回復機能を具えたヒンジ装置。
【請求項４】
請求項１記載の自動回復機能を具えたヒンジ装置において、移動装置は一体に当接可能な二つの外管とされ、外管間の接触端面に同側に向けて傾斜する楕円形端面が形成されて突き合わせられ、各外管の楕円形端面が正回転或いは逆回転時の傾斜軌道を構成して相手側の当接に供されることを特徴とする、自動回復機能を具えたヒンジ装置。
【請求項５】
請求項４記載の自動回復機能を具えたヒンジ装置において、各外管中にさらに一体に外管より小径の内管が形成されて、各外管の回転移動時の軸方向軌道とされることを特徴とする、自動回復機能を具えたヒンジ装置。
【請求項６】
請求項４記載の自動回復機能を具えたヒンジ装置において、中空収納体の内壁に一つ或いは複数の長凹溝が設けられて、回復装置と当接する外管上端に非円形部が設けられ、該非円形部が制動リングの非円形孔に挿入されて係止状態を形成し、該制動リングの外環面に一つから複数の、長凹溝中に嵌合される係止ブロックが形成され、該外管が中空収納体に伴い回転することを特徴とする、自動回復機能を具えたヒンジ装置。
【請求項７】
請求項４記載の自動回復機能を具えたヒンジ装置において、制限装置が非円形孔を具え、移動装置と制限装置が結合された外管底部に非円形部が設けられて、制限装置の非円形孔に挿入されて係止状態を形成可能であることを特徴とする、自動回復機能を具えたヒンジ装置。
【考案の詳細な説明】
【技術分野】
【０００１】
本考案は自動回復機能を具えたヒンジ装置に係り、枢設状態となす本体間に取り付けられ、そのうち一つの本体がそれを軸点として回転後に、それにかかる力が解除される時、原位置に自動回復するものとされ、それは、枢設状態となす二つの本体の一方に中空収納体が取り付けられ、もう一つの本体に制限装置が取り付けられ、中空収納体中に収容された回復装置と移動装置が中空収納体が力を受けて回転する時、移動部品が回復部品の方向に移動し回復部品を押動して移動させ、回復部品に反作用力を蓄積させ、施力解除時に、回復装置の反作用力により移動部品が押動されて原位置に回復し、すでに開放された本体を原位置に回復させる、自動回復機能を具えたヒンジ装置に関する。
【背景技術】
【０００２】
日常生活中には開閉を要する物品があり、ある特定の機能、即ち自動回復の機能を具備する必要がある。もし、ドアが経常的に開閉されるなら、一方で出入りに便利でなければならず、もう一方でプライバシーが守られなければならない。窓のように新鮮な空気や陽光を取り入れる場合は、一方で雨水や灰塵の進入を防止しなければならない。食器棚の戸は、一方で経常的に内部の物品を取り出す必要があり、また一方で閉じてゴキブリやネズミの進入を防止する必要がある。図１は周知の自動回復機能を具備しないヒンジ装置１０を示す。該ヒンジ装置１０は二つの固定片１０１、１０２を具備し、固定片１０１はドア１２に固定され、固定片１０２はドア框１１に固定され、ドア１２が開かれる時、固定片１０１はドアとともに移動する。周知のこのヒンジ装置１０がドア１２に応用される時、使用者が開門の後、主動的にドアを閉めなければならず、不便である。特許文献１には開放後のドアを自動的に閉じることのできる装置が示され、それはマルチリンク機構に気圧シリンダを組み合わせた設計とされ、マルチリンク機構間の連接棒の運動及び気圧シリンダの気圧力によりドアを開放可能及び自動閉合可能とする。ただし、この周知の技術は少なからぬ欠点がある。この周知の技術はドアとドア框の間のヒンジ装置の回転軸機能の代わりにはならず、それは別にドアとドア框或いは壁の間に別に取り付けなければならず、このためドア周辺の全体の外観を悪くし、且つこの状況で、このような周知の技術を増設することはできない。ゆえに、体積が小さく、また、取り付けに便利で、自動回復機能を具えたヒンジ装置の提供が期待されている。
【０００３】
【特許文献１】台湾実用新案登録願第０９１２１７４６号明細書
【考案の開示】
【考案が解決しようとする課題】
【０００４】
本考案の主要な目的は、ヒンジ装置本体に自動回復の機能を具備させることにある。
【０００５】
本考案の次の目的は、ヒンジ装置本体に自動回復の機能を具備させることにより、体積が小さく、組み立てに便利な機能を達成することにある。
【０００６】
上述の本考案の目的を達成するため、本考案の改良の特徴は以下のとおりである。本考案のヒンジ装置は中空収納体と制限装置を包含し、該中空収納体中に順に回復装置と移動装置が設けられている。該中空収納体と制限装置はそれぞれ異なる本体に取り付けられている。該回復装置は伸縮可能な軸棒を具えた気圧棒とされるか、圧縮バネとされる。該移動装置は一体に当接可能な二つの外管とされ、外管間の接触端面に同側に向けて傾斜する楕円形端面が形成されて突き合わせられ、各外管の楕円形端面が正回転或いは逆回転時の傾斜軌道を構成して相手側の当接に供される。各外管中にさらに一体に外管より小径の内管が形成されて、各外管の回転移動時の軸方向軌道とされる。該移動装置のうち一つの外管及び回復装置は中空収納体に伴い回転し、該外管と中空収納体間は係止状態を呈する。該外管と中空収納体間は制動リングにより係止状態を呈し、該制動リングは非円形孔を具えて外管の非円形部の挿入に供され、該制動リング外環面に一つ或いは複数の係止ブロックが設けられて、中空収納体内壁面の凹溝中に嵌合する。該制限装置と移動装置のもう一つの外管は係止状態をなし、この外管を回転不能としている。該制限装置は非円形孔を具えて該外管の非円形部の挿入に供される。
【課題を解決するための手段】
【０００７】
請求項１の考案は、自動回復機能を具えたヒンジ装置において、中空収納体と制限装置を包含し、該中空収納体及び制限装置が二つの枢設状態となす本体にそれぞれ固定され、該中空収納体中に順に回復装置と移動装置が設けられ、
該回復装置の一端は中空収納体の制限を受けて移動不能であり、その別側は移動装置と接触し、移動装置の押動を受けて収縮して反作用力を蓄積し、該回復装置は反作用力によりそれ自身及び移動部品を原位置に回復させ、
該移動装置は中空収納体回転時に回復装置の方向に向けて移動し、回復装置を押動して収縮させ、及び回復装置の押動を受けて原位置に回復し、
該制限装置と回復装置の一端が結合され中空収納体底部に当接したことを特徴とする、自動回復機能を具えたヒンジ装置としている。
請求項２の考案は、請求項１記載の自動回復機能を具えたヒンジ装置において、回復装置が伸縮可能な軸棒を具えた気圧棒であることを特徴とする、自動回復機能を具えたヒンジ装置としている。
請求項３の考案は、請求項１記載の自動回復機能を具えたヒンジ装置において、回復装置が圧縮バネであることを特徴とする、自動回復機能を具えたヒンジ装置としている。
請求項４の考案は、請求項１記載の自動回復機能を具えたヒンジ装置において、移動装置は一体に当接可能な二つの外管とされ、外管間の接触端面に同側に向けて傾斜する楕円形端面が形成されて突き合わせられ、各外管の楕円形端面が正回転或いは逆回転時の傾斜軌道を構成して相手側の当接に供されることを特徴とする、自動回復機能を具えたヒンジ装置としている。
請求項５の考案は、請求項４記載の自動回復機能を具えたヒンジ装置において、各外管中にさらに一体に外管より小径の内管が形成されて、各外管の回転移動時の軸方向軌道とされることを特徴とする、自動回復機能を具えたヒンジ装置としている。
請求項６の考案は、請求項４記載の自動回復機能を具えたヒンジ装置において、中空収納体の内壁に一つ或いは複数の長凹溝が設けられて、回復装置と当接する外管上端に非円形部が設けられ、該非円形部が制動リングの非円形孔に挿入されて係止状態を形成し、該制動リングの外環面に一つから複数の、長凹溝中に嵌合される係止ブロックが形成され、該外管が中空収納体に伴い回転することを特徴とする、自動回復機能を具えたヒンジ装置としている。
請求項７の考案は、請求項４記載の自動回復機能を具えたヒンジ装置において、制限装置が非円形孔を具え、移動装置と制限装置が結合された外管底部に非円形部が設けられて、制限装置の非円形孔に挿入されて係止状態を形成可能であることを特徴とする、自動回復機能を具えたヒンジ装置としている。
【考案の効果】
【０００８】
本考案の効果は以下のとおりである。
１．本考案は直接各装置が中空収納体中に収納され、占有体積が極めて小さく、取り付け後に全体の美観を破壊しない。
２．本考案取り付け後、直接回転軸機能と自動回復の機能を具え、並びに別に回復装置を取り付ける必要がない。
３。本考案と一般のヒンジ装置は取り付けステップが同じであり、且つ本考案はその出願前に同じ或いは類似の構造が文献に見当たらず、新規性を有している。
【考案を実施するための最良の形態】
【０００９】
図２、３を参照されたい。本考案のヒンジ装置２０は、貫通する中空直管２１３の外環面に固定片２１２が設けられ、中空直管２１３の上端にさらに蓋体２１１が螺合されて、中空収納体２１が構成されている。該中空収納体２１は回復装置と移動装置を収納する。該回復装置は本実施例では気圧棒２２とされるが、図９に示されるように圧縮バネ２７とされてもよい。図６、７に示されるように、気圧棒２２は一端が閉じた直管２２２を具え、該直管２２２中に軸棒２２１が設けられ、該軸棒２２１の一端が直管２２２中に位置し、別端は直管２２２より突出し、軸棒２２１の内部端に直管２２２内壁と緊密に組み合わされたピストン２２３が設けられている。該直管２２２の開口端中に中間貫通孔を具えた複数の固定リング２２５、２２６が設けられ、固定リング２２５、２２６間にシールパッキング２２４が挟持され、該直管２２２の開口端及び、固定リング２２６に対応する環面部分はリベッティングされ、固定リング２２５、２２６、シールパッキング２２４が移動不能とされ、該軸棒２２１が力を受けて直管２２２中を移動するか、或いは施力解除時に、蓄積された気圧を受けて原位置に回復するものとされる。該移動部品は第１螺旋部品２４と第２螺旋部品２５を包含し、この二つの螺旋部品は管状に設けられ、その二つの外管２４３、２５１はつきあうように接触し、各外管２４３、２５１の突き合わせ面は同側に向いた楕円形端面とされ、各外管２４３、２５１の楕円形端面は正回転或いは逆回転の軌道２４４、２５２を形成する。各外管２４３、２５１の内部にさらに一体に内管２４５、２５３が形成され、内管２４５、２５３もまた突き合うよう接触し、その接触の端面が外管２４３、２５１の傾斜方向と反対の楕円形端面とされ、各内管２４５、２５３の楕円形端面も正回転或いは逆回転時の軌道２４６、２５４を形成する。各内管２４５、２５３もまた正回転或いは逆回転時の軸方向軌道を形成する。各外管２４３、２５１の非接触端はそれぞれに突出する非円形部２４２、２５５を形成し、第１螺旋部品２４の非円形部２４２に中心貫通孔２４１が設けられて軸棒２２１が挿入される。第１螺旋部品２４は中空収納体２１に伴い回転可能であり、中空収納体２１と第１螺旋部品２４の間は制動リング２３が設けられて、三者が係止状態とされる（図８）。中空収納体２１の内壁面に二つの対向する軸方向長凹溝２１４、２１５が設けられ、二つの長凹溝２１４、２１５はもう一つの末端まで未延伸であり、該制動リング２３の外環面に二つの長凹溝２１４、２１５に対応する係止ブロック２３２、２３３が設けられ、二つの係止ブロック２３２、２３３は対応する長凹溝２１４、２１５中に嵌合可能である。該制動リング２３の中間に非円形孔２３１が設けられ、第１螺旋部品２４の非円形部２４２の挿入に供され、並びに係止状態をなす。そのうち、該中空収納体２１の非円形部２４２に対応する位置に、非円形内孔を設けることも可能であり、即ち第１螺旋部品２４を駆動可能で、必ずしも制動リング２３を設ける必要はなく、また必ずしも二つの長凹溝２１４、２１５を設ける必要はない。該中空収納体２１の別側は制限装置２６と接触する。該制限装置２６は固定片２６３を具え、固定片２６３の側面に制動リング２６１が固定され、制動リング２６１の中間に非円形孔２６２が設けられ、該非円形孔２６２は第２螺旋部品２５の非円形部２５５の挿入に供され、並びに係止状態を形成し、第２螺旋部品２５が回転不能とされる。
【００１０】
続いて、図４、５、８、１０も参照されたい。本実施例のヒンジ装置２０は、ドアに応用され、それは中空収納体２１の固定片２１２がドア１２に取り付けられ、制限装置２６の固定片２６３がドア框１１に取り付けられ、ドア１２がヒンジ装置２０を回転軸として開閉する。ドア１２が閉じる時、移動装置の二つの螺旋部品２４、２５の内、外管２４５、２４３、２５３、２５１の楕円形軌道２４４、２４６、２５２、２５４は完全に当接し、ドア１２ガ開放される時、第１螺旋部品２４の軌道２４４は第２螺旋部品２５の軌道２５２に沿って逆転し、第１螺旋部品２４が不断に上昇し、並びに気圧棒２２の軸棒２２１を押動し内縮させ、軸棒２２１のピストン２２３と直管２２２末端間の空間が気圧力を蓄積し、ドア１２の施力が解除される時、気圧棒２２の軸棒２２１が蓄積された気圧力により反対方向に押され、軸棒２２１を外向きに突出させ、第１螺旋部品２４を押動して、第１螺旋部品２４が第２螺旋部品２５の楕円形軌道２５２に沿って正回転して下降する。本実施例のヒンジ装置２０はドア１２に応用される時、直立状態で設置され、ある状況において、それは横置き状態に設けられうる。該気圧棒２２は圧縮バネ２７に代えることも可能であり、同様に自動回復の機能を発揮する。
【図面の簡単な説明】
【００１１】
【図１】周知のドアに応用されるヒンジ装置の使用状態表示図である。
【図２】本考案の立体分解図である。
【図３】本考案の立体組合せ図である。
【図４】本考案の昇降動作表示図である。
【図５】本考案の昇降動作表示図である。
【図６】本考案の気圧棒の軸棒の昇降の断面図である。
【図７】本考案の気圧棒の軸棒の昇降の断面図である。
【図８】本考案の立体局部断面図である。
【図９】本考案の回復装置の別の実施例である。
【図１０】本考案の使用状態参考図である。
【符号の説明】
【００１２】
１０  ヒンジ装置    １１  ドア框      １２  ドア
１０１  固定片      １０２  固定片
２０  ヒンジ装置    ２１  中空収納体      ２１１  蓋体
２１２  固定片      ２１３  中空直管      ２１４  凹溝
２１５  凹溝        ２２  気圧棒      ２２１  軸棒
２２２  直管        ２２３  ピストン  ２２４  シールパッキング
２２５  固定リング  ２２６  固定リング  ２３  制動リング
２３１  非円形孔      ２３２  係止ブロック  ２３３  係止ブロック
２４  第１螺旋部品  ２４１  貫通孔
２４２  非円形部    ２４３  外管          ２４４  楕円形軌道
２４５  内管        ２４６  楕円形軌道          ２５  第２螺旋部品
２５１  外管        ２５２  楕円形軌道          ２５３  内管
２５４  楕円形軌道        ２５５  非円形部      ２６  制限装置
２６１  制動リング  ２６２  非円形孔
２６３  固定片      ２７  圧縮バネ
【図１】
0003116825.tif 000003
【図２】
0003116825.tif 000004
【図３】
0003116825.tif 000005
【図４】
0003116825.tif 000006
【図５】
0003116825.tif 000007
【図６】
0003116825.tif 000008
【図７】
0003116825.tif 000009
【図８】
0003116825.tif 000010
【図９】
0003116825.tif 000011
【図１０】
0003116825.tif 000012